(57)【要約】【課題】上面開口を閉鎖できて内部に埃等が入るのを防ぐことができ、衛生的に物品を持ち歩くことが可能で、また上面開口を開放したり、閉鎖したりする作業も極めて簡単に行うことができて、しかも、平坦に畳む操作と使用可能な状態に開く操作のいずれも極めて簡単に行うことができる手提げ袋を提供する。【解決手段】閉鎖部１９と閉鎖部２１を易折り曲げ部２３で上面開口１７を閉鎖する方向へ折ると同時に重合部２７、２９を易折り曲げ部２６で側面部１３、１５の外面に重なる方向へ折る。上面開口１７は閉鎖部１９、２１によって完全に閉鎖され、閉鎖部２１と突出部２５が閉鎖部１９に互いに重なり、閉鎖部１９と閉鎖部２１は、その一部が互いに重なることになる。このように上面開口１７は閉鎖部１９、２１によって完全に閉鎖されて、本体３へ埃等が入るおそれはない。【選択図】        図１
2012126440.tif 000002
【特許請求の範囲】
【請求項１】
矩形状の底面部と、前記底面部の４辺から立ち上げられた正面部、背面部及び一対の側面部と、前記正面部、背面部及び左右の側面部の上端によって囲まれる上面開口と、吊り下げるときの紐状の把手とを有する手提げ袋において、前記正面部と背面部の上端に折り曲げ易いように加工された易折り曲げ部を介してそれぞれ連結され、前記易折り曲げ部で前記上面開口を閉鎖する方向へ折り曲げられて、前記上面開口を閉鎖する状態で一部が互いに重なり合う閉鎖部と、前記左右の側面部の上端と前記閉鎖部の側端に易折り曲げ部を介して連結された重合部と、前記側面部の上端の幅方向の両端部と前記重合部の上端の幅方向の中心部とを結ぶ一対の易折り曲げ部とを備え、前記把手は一対設けられ、一方が正面部側の閉鎖部に取り付けられ、他方が背面部側の閉鎖部に取り付けられていることを特徴とする手提げ袋。
【請求項２】
請求項１に記載した手提げ袋において、一対の側面部には側面部の中心を上下方向へ真っ直ぐに延びる１本の垂下線部と、前記垂下線部の途中部分と側面部の角部とを結ぶ斜行部から成る下向きＹ字状のＹ字状谷折れ部が形成され、正面部と背面部の少なくとも一方には前記垂下線部と斜行部との接続部と同じ高さ位置で水平に延びる水平谷折れ部と、前記一対の側面部には水平谷折れ部と前記接続部とを結ぶ連結谷折れ部とが設けられていることを特徴とする手提げ袋。
【請求項３】
請求項１または２に記載した手提げ袋において、底面部、正面部、背面部、一対の側面部、閉鎖部及び重合部によって本体が構成され、前記本体は複数の部材を貼り合せ部で貼り合わせて構成され、前記貼り合せ部は前記本体の正面部と一対の側面部との接合部、背面部と一対の側面部との接合部及び閉鎖部と重合部との接合部である角部から外れた箇所に配置されていることを特徴とする手提げ袋。
【請求項４】
請求項３に記載した手提げ袋において、貼り合せ部は一対の側面の中心部分に配置されていることを特徴とする手提げ袋。
【請求項５】
請求項１から４のいずれかにおいて、一対の把手は互いに対向する位置に備えられていることを特徴とする手提げ袋。
【請求項６】
請求項１から５のいずれかにおいて、正面部側の閉鎖部に取り付けられた把手の基端部は正面部側の閉鎖部の易折り曲げ部の近傍に固定され、背面部側の閉鎖部に取り付けられた把手の基端部は背面部側の閉鎖部の易折り曲げ部の近傍に固定されていることを特徴とする手提げ袋。
【請求項７】
請求項１から６のいずれかにおいて、正面部、背面部及び一対の側面部は厚紙によって構成されていることを特徴とする手提げ袋。
【発明の詳細な説明】
【技術分野】
【０００１】
本発明は手提げ袋に係り、特に上面開口を閉鎖できる手提げ袋に関するものである。
【背景技術】
【０００２】
紙などによって構成される包装用の手提げ袋には、例えば特許文献１に記載されたものがある。使用しないときにはワンタッチで平坦に畳むことができ、しかも上面開口から物品を簡単に出し入れできる等の種々の利点を有している。
【先行技術文献】
【特許文献】
【０００３】
【特許文献１】特開２０１０−６４４３号公報
【特許文献２】特開２００５−１１９７１５号公報
【発明の概要】
【発明が解決しようとする課題】
【０００４】
しかしながら、手提げ袋は上面開口を閉鎖することができず、埃等が入るのを防ぐことはできない不都合がある。特に食品などを入れる場合には上面開口を閉鎖して埃等が入るのを防ぎ衛生的に持ち歩きたいという要請が強い。
一方、ケーキの持ち帰り箱に代表される特許文献２に示す手提げ型紙製組み立て箱は、その上面を含めて六面全てを閉鎖でき、衛生的にケーキ等の物品を持ち歩くことはできるが、手提げ袋のようにワンタッチで平坦に畳むことはできず、使用可能な状態に組み立てる作業も煩雑であるという問題がある。
【０００５】
本発明は上記従来の問題点に着目して為されたものであり、上面開口を閉鎖できて内部に埃等が入るのを防ぐことができ、衛生的に物品を持ち歩くことが可能で、しかも、平坦に畳む操作と使用可能な状態に開く操作のいずれも極めて簡単に行うことができる手提げ袋の提供を、その目的とする。
【課題を解決するための手段】
【０００６】
本発明は上記課題を解決するためになされたものであり、請求項１の発明は、矩形状の底面部と、前記底面部の４辺から立ち上げられた正面部、背面部及び一対の側面部と、前記正面部、背面部及び左右の側面部の上端によって囲まれる上面開口と、吊り下げるときの紐状の把手とを有する手提げ袋において、前記正面部と背面部の上端に折り曲げ易いように加工された易折り曲げ部を介してそれぞれ連結され、前記易折り曲げ部で前記上面開口を閉鎖する方向へ折り曲げられて、前記上面開口を閉鎖する状態で一部が互いに重なり合う閉鎖部と、前記左右の側面部の上端と前記閉鎖部の側端に易折り曲げ部を介して連結された重合部と、前記側面部の上端の幅方向の両端部と前記重合部の上端の幅方向の中心部とを結ぶ一対の易折り曲げ部とを備え、前記把手は一対設けられ、一方が正面部側の閉鎖部に取り付けられ、他方が背面部側の閉鎖部に取り付けられていることを特徴とする手提げ袋である。
【０００７】
請求項２の発明は、請求項１に記載した手提げ袋において、一対の側面部には側面部の中心を上下方向へ真っ直ぐに延びる１本の垂下線部と、前記垂下線部の途中部分と側面部の角部とを結ぶ斜行部から成る下向きＹ字状のＹ字状谷折れ部が形成され、正面部と背面部の少なくとも一方には前記垂下線部と斜行部との接続部と同じ高さ位置で水平に延びる水平谷折れ部と、前記一対の側面部には水平谷折れ部と前記接続部とを結ぶ連結谷折れ部とが設けられていることを特徴とする手提げ袋である。
【０００８】
請求項３の発明は、請求項１または２に記載した手提げ袋において、底面部、正面部、背面部、一対の側面部、閉鎖部及び重合部によって本体が構成され、前記本体は複数の部材を貼り合せ部で貼り合わせて構成され、前記貼り合せ部は前記本体の正面部と一対の側面部との接合部、背面部と一対の側面部との接合部及び閉鎖部と重合部との接合部である角部から外れた箇所に配置されていることを特徴とする手提げ袋である。
【０００９】
請求項４の発明は、請求項３に記載した手提げ袋において、貼り合せ部は一対の側面の中心部分に配置されていることを特徴とする手提げ袋である。
【００１０】
請求項５の発明は、請求項１から４のいずれかにおいて、一対の把手は互いに対向する位置に備えられていることを特徴とする手提げ袋である。
【００１１】
請求項６の発明は、請求項１から５のいずれかにおいて、正面部側の閉鎖部に取り付けられた把手の基端部は正面部側の閉鎖部の易折り曲げ部の近傍に固定され、背面部側の閉鎖部に取り付けられた把手の基端部は背面部側の閉鎖部の易折り曲げ部の近傍に固定されていることを特徴とする手提げ袋である。
【００１２】
請求項７の発明は、請求項１から６のいずれかにおいて、正面部、背面部及び一対の側面部は厚紙によって構成されていることを特徴とする手提げ袋である。
【発明の効果】
【００１３】
本発明の手提げ袋によれば、上面開口を閉鎖できて内部に埃等が入るのを防ぐことができ、衛生的に物品を持ち歩くことが可能となる。
また、平坦に畳む操作と使用可能な状態に開く操作のいずれも極めて簡単に行うことができる。
【図面の簡単な説明】
【００１４】
【図１】本発明の実施の形態に係る手提げ袋を折り畳んだ状態の斜視図である。
【図２】図１の手提げ袋の閉鎖部を開いて上面開口を開放した状態の斜視図である。
【図３】図１の手提げ袋の閉鎖部を開閉する途中の状態の斜視図である。
【図４】図１の手提げ袋の閉鎖部を閉じて上面開口を閉鎖した状態の斜視図である。
【発明を実施するための形態】
【００１５】
本発明の実施の形態に係る手提げ袋１を図面にしたがって説明する。
手提げ袋１は厚紙製の本体３、紐状の一対の把手５、６等から成る。
本体３の構成について説明する。
符号７は矩形状の底面部を示し、この底面部７の４辺からは正面部９、背面部１１及び一対の側面部１３、１５が立ち上げられている。そして、正面部９、背面部１１及び左右一対の側面部１３、１５の上端によって囲まれる部分に上面開口１７が形成されている。
【００１６】
正面部９と背面部１１の上端には閉鎖部１９、２１が易折り曲げ部２３を介して、それぞれ連結されている。易折り曲げ部２３は圧力を加えて塑性変形させたり、ミシン目を形成したりして他の部分よりも折り曲げ易くなっている。以下に説明する易折り曲げ部２６、３１、３３についても同様である。
閉鎖部２１は閉鎖部１９より先端部が延びていて、突出部２５が形成されている。従って、後述するように閉鎖部１９と閉鎖部２１とを易折り曲げ部２３で上面開口１７を閉鎖する状態で閉鎖部２１の一部である突出部２５が閉鎖部１９の一部に互いに重なり合うようになっている。
【００１７】
一対の側面部１３、１５の上端と閉鎖部１９、２１の側端に易折り曲げ部２６を介して重合部２７、２９が連結されている。重合部２７、２９の上端は、その中心を境にして閉鎖部２１側へ向かって上がるように傾斜しており、閉鎖部１９側は水平となっている。従って、重合部２７、２９には中心から閉鎖部２１側に三角形状の突出部２８、３０が形成されている。
一対の側面部１３、１５には一対の易折り曲げ部３１、３３がそれぞれ形成されている。易折り曲げ部３１、３３は側面部１３、１５の上端の幅方向の両端部から重合部２７、２９の上端の幅方向の中心部を結ぶように形成されており、易折り曲げ部３１、３３は傾斜している。
【００１８】
また、一対の側面部１３にはＹ字状谷折れ部３５が形成され、側面部１５にはＹ字状谷折れ部３７が形成されている。Ｙ字状谷折れ部３５とＹ字状谷折れ部３７は同じ形状で、互いに対向して配置されている。
Ｙ字状谷折れ部３５は側面部１３（１５）の中心を上下方向へ真っ直ぐに延びる１本の垂下線部３９と、この垂下線部３９の途中部分と側面部１３の角部とを結ぶ斜行部４１とから成る。
【００１９】
背面部１１には水平谷折れ部４３が形成されており、この水平谷折れ部４３は垂下線部３９と斜行部４１との接続部４５と同じ高さ位置で水平に延びている。また、一対の側面部１３、１５には水平谷折れ部４３と接続部４５とを結ぶ連結谷折れ部４７が設けられている。
また、一方の把手５が正面部９側の閉鎖部１９に取り付けられ、他方の把手６が背面部１１側の閉鎖部２１に取り付けられている。把手５、６は、その両端部が閉鎖部１９、２１と閉鎖部１９、２１の裏面に固定された厚紙製の補強板１８を貫通している。そして、把手５、６の先端に結び目を作ることによって抜け止めされている。
把手５と把手６は互いに対向する位置に備えられている。また、把手５の基端部は正面部９側の閉鎖部１９の易折り曲げ部２３の近傍に固定されている。また、背面部１１側の閉鎖部２１に取り付けられた把手６の基端部は易折り曲げ部２３の近傍に固定されている。
【００２０】
本体３は２つの部材を貼り合せ部４９、５１、５３で貼り合わせて構成され、貼り合せ部４９は側面部１３の幅方向の中心部分に、貼り合せ部５１は側面部１５の幅方向の中心部分に、また貼り合せ部５３は底面部７の前後方向の中心部分にそれぞれ形成されている。貼り合せ部４９、５１、５３は本体３の４つの角部５５から外れた箇所に配置されている。なお、４つの角部５５は正面部９と一対の側面部１３、１５との接合部、背面部１１と一対の側面部１３、１５との接合部及び閉鎖部１９、２１と重合部２７、２９との接合部である。
【００２１】
次に、この手提げ袋１の使用方法について説明する。
図１に示すように手提げ袋１はＹ字状谷折れ部３５、３７で内側へ折り、更に水平谷折れ部４３で内側へ折って本体３を折り畳む。この状態では本体３が扁平な状態となり、従来の手提げ袋と同様に持ち運ぶ際に邪魔になることはない。
【００２２】
手提げ袋１を使用する場合には、図１に示す状態から背面部１１と重なっている底面部７を背面部１１から離間する方向へ回動させる。本体３にはＹ字状谷折れ部３７が形成されているので、上記のように底面部７を回動させると図２に示すように側面部１３、１５が垂直な平面を構成する状態となり、手提げ袋１として使用可能となる。このように簡単な操作で手提げ袋１を使用可能な状態とすることができる。
【００２３】
更に、例えば物品としての料理を入れた重箱Ｂを上面開口１７から本体３へ入れる。そして、図３に示すように閉鎖部１９と閉鎖部２１を易折り曲げ部２３で上面開口１７を閉鎖する方向へ折る。この際、閉鎖部２１が閉鎖部１９の上側に重なるようにする。また、閉鎖部１９と閉鎖部２１を折ると同時に重合部２７、２９を易折り曲げ部２６で側面部１３、１５の外面に重なる方向へ折る。
【００２４】
図４に示すように、上面開口１７は閉鎖部１９、２１によって完全に閉鎖され、閉鎖部２１と突出部２５が閉鎖部１９に互いに重なり、閉鎖部１９と閉鎖部２１は、その一部が互いに重なることになる。また、重合部２７、２９には突出部２８、３０がそれぞれ形成されているので、突出部２８、３０が重合部２７、２９の中心を境にして閉鎖部１９側の一部に互いに重なる。このように上面開口１７は閉鎖部１９、２１によって完全に閉鎖されて、本体３へ埃等が入るおそれはない。従って、重箱Bに入れられた料理を衛生的に持ち歩くことができる。
【００２５】
また、把手５と把手６は互いに対向し、把手５の基端部は正面部９側の閉鎖部１９の易折り曲げ部２３の近傍に、把手６の基端部は背面部１１側の易折り曲げ部２３の近傍に固定されているので、把手５、６の中心部分を握って持ち上げると、把手５、６の基端部どうしが互いに近づこうとする力が発生する。これにより矢印で示すように閉鎖部１９と閉鎖部２１とが閉じようとする力（閉鎖部１９と閉鎖部２１との重なり部分が大きくなる方向の力）が発生する。従って、手提げ袋１を持ち歩いているときに、閉鎖部１９、２１が不用意に開いてしまうのを完全に防止することができる。
貼り合せ部４９、５１、５３は本体３の４つの角部５５から外れた箇所に配置されているので、本体３の剛性は前後方向で均一なものとなっている。従って、前記のように把手５、６の中心部分を握って持ち上げたときに、閉鎖部１９と閉鎖部２１との位置が左右方向へずれることはない。
【００２６】
また、重箱Ｂを手提げ袋１から取り出す場合には、重合部２７、２９を側面部１３、１５から離間する方向へ回動させて開く。これにより閉鎖部１９、２１が開いて、上面開口１７が開放される状態となる。そして、上面開口１７から重箱Ｂを取り出す。このように、閉鎖部１９、２１を極めて簡単な操作で開くことができる。
そして、手提げ袋１を使用しない場合には、Ｙ字状谷折れ部３５、３７で内側へ折り、更に水平谷折れ部４３で内側へ折って本体３を折り畳み、図１に示した状態とする。
【００２７】
以上のように、手提げ袋１は、上面開口を閉鎖できて、内部に埃等が入るのを防ぐことができて、衛生的に物品を持ち歩くことができる。また、閉鎖部１９、２１を開いたり、閉じたりする作業も極めて簡単に行うことが可能である。
更に、手提げ袋１は、極めて簡単な操作で、平坦に畳むことができ、また使用可能な状態に広げることができる。
【００２８】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態に係る手提げ袋１の本体３は２つの部材を貼り合せて構成されているが、本発明はこれに限定されず、１つの部材によって構成してもよい。この場合においても貼り合わせ部は角部以外の部分に設けるようにする。
【産業上の利用可能性】
【００２９】
本発明の手提げ袋は、紙製の手提げ袋の製造業に利用することが可能である。
【符号の説明】
【００３０】
１…手提げ袋                      ３…本体
５、６…把手                      ７…底面部
９…正面部                      １１…背面部
１３、１５…側面部                １８…補強板
１７…上面開口                    １９…閉鎖部
２１…閉鎖部                      ２３…易折り曲げ部
２５…突出部                      ２６…易折り曲げ部
２７…重合部                      ２８、３０…突出部
２９…重合部                      ３１…易折り曲げ部
３３…易折り曲げ部                ３５…Y字状谷折れ部
３７…Y字状谷折れ部              ３９…垂下線部
４１…斜行部                      ４３…水平谷折れ部
４５…接続部                      ４７…連結谷折れ部
４９…貼り合せ部                  ５１…貼り合せ部
５３…貼り合せ部                  ５５…角部
Ｂ…重箱
【図１】
2012126440.tif 000003
【図２】
2012126440.tif 000004
【図３】
2012126440.tif 000005
【図４】
2012126440.tif 000006